(57)【特許請求の範囲】
【請求項１】
替刃を使用するカッターであって、
前記替刃は、係合部が形成される摺動板を有するトレーと、前記トレーに前後動自在に収納されて前記係合部が係合される被係合部を有する刃体と、を備え、
前記係合部は、前記摺動板により前記刃体に対して付勢されて前記被係合部に着脱可能に係合し、
前記替刃を着脱自在に収納して前記トレーを固定する本体ケースと、
前記刃体に対して固定可能に形成されて前記本体ケースに対して前後動自在に設けられ、前方移動により前記摺動板を押圧して前記係合部の係合を解除し後方移動により該押圧を解除して前記係合部を前記被係合部に係合させる押圧部を有するスライダと、
を備えることを特徴とするカッター。
【請求項２】
前記係合部は、片持ちバネ状の前記摺動板から突出して形成される摺動突起であり、
前記被係合部は、前記刃体に形成される長孔状の保持孔とされる、
ことを特徴とする請求項１に記載のカッター。
【請求項３】
前記摺動板には、前記スライダの前後動に合わせて前記押圧部と当接して押圧される操作突起が形成されることを特徴とする請求項１又は請求項２に記載のカッター。
【請求項４】
前記本体ケースは、前後方向に沿って上面に形成されるスリットと、前記スリットから左右方向に切り欠かれた複数の切欠部を有し、
前記スライダは、前記切欠部に係合する係合突起と、前記係合突起の前記切欠部との係合を前記スライダの移動方向に解除する係合解除板を含む操作部材とを有する、
ことを特徴とする請求項１乃至請求項３の何れかに記載のカッター。
【請求項５】
前記スライダは、前記刃体に対して着脱自在に設けられることを特徴とする請求項１乃至請求項４の何れかに記載のカッター。
【請求項６】
前記本体ケースの後端に着脱自在に設けられるエンドキャップと、
前記エンドキャップの着脱及び前記スライダの前後動を規制するロック部材と、
を備えることを特徴とする請求項１乃至請求項５の何れかに記載のカッター。
【請求項７】
カッターの本体ケースに着脱自在に収納される替刃であって、
係合部が形成される摺動板を有して前記本体ケースに対して固定されるトレーと、
前記トレーに前後動自在に収納されて前記係合部が係合される被係合部を有する刃体と、
を備え、
前記係合部は、前記摺動板により前記刃体に対して付勢されて前記被係合部に着脱可能に係合し、
前記カッターは、前記刃体に対して固定可能に形成されて前記本体ケースに対して前後動自在に設けられ、前方移動により前記摺動板を押圧して前記係合部の係合を解除し後方移動により該押圧を解除して前記係合部を前記被係合部に係合させる押圧部を有するスライダを備える、
ことを特徴とする替刃。
【発明の詳細な説明】
【技術分野】
【０００１】
本発明は、カッター用の替刃及びカッターに関する。
【背景技術】
【０００２】
従来から、替刃の交換が可能なカッターが提案されている。例えば、特許文献１に開示されるカッターナイフは、カッター刃を保持しながらケース内で移動可能に設けられたスライダを有している。このスライダは、スライダ本体と、当該スライダ本体の間にカッター刃を挟み込むように設けられた押え部材とにより構成される。また、スライダは、所定操作をすることでカッター刃の取り外しをすることができる。この特許文献１のカッターナイフは、カッター刃の取り外しを行う際にスライダの所定操作を必要とする構成としているため、スライダ及びカッター刃をケースから取り出した場合であっても、カッター刃が不用意に脱落する不都合が生じないものとしている。
【先行技術文献】
【特許文献】
【０００３】
【特許文献１】特開２００８−２２９０７７号公報
【発明の概要】
【発明が解決しようとする課題】
【０００４】
しかしながら、上述のカッターナイフは、刃体の一部を覆うスライダを持って替刃の交換を行うことができるが、刃体の大部分はカッター本体に収納されるまでの間露出しているため替刃の交換作業中に使用者が触れてしまうことがある。
【０００５】
本発明は、以上の点に鑑み、替刃の交換作業の際に替刃の刃に触れてしまうことが低減されたカッター用の替刃及びこの替刃を備えたカッターを提供することを目的とする。
【課題を解決するための手段】
【０００６】
本発明のカッターは、替刃を使用するカッターであって、前記替刃は、係合部が形成される摺動板を有するトレーと、前記トレーに前後動自在に収納されて前記係合部が係合される被係合部を有する刃体と、を備え、前記係合部は、前記摺動板により前記刃体に対して付勢されて前記被係合部に着脱可能に係合し、前記替刃を着脱自在に収納して前記トレーを固定する本体ケースと、前記刃体に対して固定可能に形成されて前記本体ケースに対して前後動自在に設けられ、前方移動により前記摺動板を押圧して前記係合部の係合を解除し後方移動により該押圧を解除して前記係合部を前記被係合部に係合させる押圧部を有するスライダと、を備えることを特徴とする。
【０００７】
本発明の替刃は、カッターの本体ケースに着脱自在に収納される替刃であって、係合部が形成される摺動板を有して前記本体ケースに対して固定されるトレーと、前記トレーに前後動自在に収納されて前記係合部が係合される被係合部を有する刃体と、を備え、前記係合部は、前記摺動板により前記刃体に対して付勢されて前記被係合部に着脱可能に係合し、前記カッターは、前記刃体に対して固定可能に形成されて前記本体ケースに対して前後動自在に設けられ、前方移動により前記摺動板を押圧して前記係合部の係合を解除し後方移動により該押圧を解除して前記係合部を前記被係合部に係合させる押圧部を有するスライダを備える、ことを特徴とする。
【発明の効果】
【０００８】
本発明によると、替刃の交換作業の際に替刃の刃に触れてしまうことが低減されたカッター用の替刃及びこの替刃を備えたカッターを提供することができる。
【図面の簡単な説明】
【０００９】
【図１】本発明の実施形態に係るカッターの左前上方から見た斜視図であり、（ａ）は収納状態を示し、（ｂ）は使用状態を示す。
【図２】本発明の実施形態に係るカッターの左前上方から見た分解斜視図である。
【図３】本発明の実施形態に係るカッターの右後下方から見た分解斜視図である。
【図４】本発明の実施形態に係る図１のカッターのＩＶ−ＩＶ断面図であり、（ａ）はロック解除状態を示し、（ｂ）はロック状態を示す。
【図５】本発明の実施形態に係る図１のカッターのＶ−Ｖ断面図であり、（ａ）は収納状態を示し、（ｂ）は使用状態を示す。
【図６】本発明の実施形態に係る図５のカッターのＶＩ−ＶＩ断面図であり、（ａ）は収納状態を示し、（ｂ）は使用状態を示す。
【図７】本発明の実施形態に係る図５のカッターの操作部周辺を拡大したＶＩＩ−ＶＩＩ断面図である。
【図８】本発明の実施形態に係るカッターの図６（ａ）の収納状態から図６（ｂ）の使用状態に移る途中の断面図である。
【発明を実施するための形態】
【００１０】
以下、本発明の実施形態を図に基づいて説明する。図１は、カッター１０の左前上方から見た斜視図である。本図の（ａ）は収納状態を示し、（ｂ）は使用状態を示す。カッター１０には、刃体７０を備えるカッター用の替刃２０（図２及び図３参照）が本体ケース３０内に収納されている。使用者は、操作部材８０を前後に操作することにより、刃体７０を本体ケース３０の前端に設けられた刃体出没孔３１から出没させることができる。なお、以下の説明においては、カッター１０の刃体出没孔３１側を前とし、その反対側を後とする。また、図１における上方を上、下方を下とし、後方から前方を見たときの左側を左、右側を右とする。
【００１１】
図２は、カッター１０の左前上方から見た分解斜視図である。また、図３は、カッター１０の右後下方から見た分解斜視図である。
【００１２】
カッター１０は、替刃２０及びスライダ５０を収納する本体ケース３０と、エンドキャップ４０とを備える。替刃２０には、トレー６０と刃体７０が含まれる。スライダ５０の上部には、操作部材８０が取り付けられる。また、カッター１０は、エンドキャップ４０の着脱及びスライダ５０の移動を規制するロック部材９０を有する。以下、各部材について説明する。
【００１３】
本体ケース３０は、前後方向に長軸を有した略四角柱状に形成され、前端面３０ｃの先端部は、窄まるように形成される。本体ケース３０の左側面３０ａ及び右側面３０ｂ（図３参照）の左右幅は、後方に向かってやや広がるように形成される。本体ケース３０の前端側の上面には、前後に長軸を有して楕円形状に窪んだ操作凹部３０１が形成される。また、本体ケース３０の下面には、本体ケース３０の外表面に沿って外表面より凹んだ把持面３０２が形成される。本体ケース３０の前端面３０ｃには、刃体７０を挿通可能な幅及び長さの刃体出没孔３１が上下方向に延びるスリット状に形成される。なお、本体ケース３０の後方開口部３４を後方から見た拡大図Ａに示すように、刃体出没孔３１の右側の内壁には、上下位置にそれぞれ二つの円弧状突起３１１が形成される。
【００１４】
本体ケース３０の上面には、本体ケース３０の後端から前方に向かって凹状の長矩形溝３０３が形成される。長矩形溝３０３の底部には、本体ケース３０の後端から前方に向かって切り欠かれたスリット３２が形成される。このスリット３２を介して、本体ケース３０の外部と替刃２０が収納される内部３３とが貫通される。スリット３２の右側縁には、前後に亘って複数の切欠部３２１が形成される。各切欠部３２１は、左右に切り欠かれ、上方から見た平面視略Ｖ字形状に形成される。
【００１５】
本体ケース３０の後端には、後方から替刃２０及びスライダ５０を収納させる後方開口部３４が形成される。後方開口部３４は、側面視において後方上側がＬ字状に切り欠かれて開口している。後方開口部３４には、本体ケース３０の底面３０ｆと、左側面３０ａ及び右側面３０ｂから後方に延設されたＵ字状の開口受部３５が形成される。図２に示す開口受部３５の左側面３５ａの外側には、前後に延びる凹状に窪んだ二つのガイド溝３５１ａが形成される。二つのガイド溝３５１ａは、上下に並設される。各ガイド溝３５１ａの前方側には、ガイド溝３５１ａより深く窪んだ係止凹部３５２が形成される。
【００１６】
図３に示す、開口受部３５の右側面３５ｂの外側には、前後に延びる凹状に窪んだ二つのガイド溝３５１ｂ，３５１ｃが形成される。上側のガイド溝３５１ｂと下側のガイド溝３５１ｃは、上下に並設される。各ガイド溝３５１ｂ，３５１ｃの前方側には、ガイド溝３５１ｂ，３５１ｃより深く窪んだ係止凹部３５２が形成される。下側のガイド溝３５１ｃの後方側には、開口受部３５の右側面３５ｂを内外に貫通する矩形状の係止孔３５３が形成される。また、開口受部３５には、ガイド溝３５１ｃの後端に、矩形状の切欠部３５４が形成される。
【００１７】
図２の拡大図Ａにおいて、本体ケース３０の内部３３には、前方底部３３３を有した略矩形状の空間が形成される。内部３３の右内壁３３ｂからは、左方に向かって中板３３４が立設している。中板３３４は、刃体出没孔３１が形成される前方底部３３３から後方開口部３４付近まで延設される。
【００１８】
内部３３の下側の内壁には、前方底部３３３から後方開口部３４付近に亘り浅く窪んだ凹状の下溝部３６ｆが形成される。中板３３４と下溝部３６ｆとの間には、左方に開口した凹枠部３６ｅが形成され、その凹枠部３６ｅの右内面には、凹枠部３６ｅより上下幅の狭い凹溝部３６ｅ１が形成される。凹枠部３６ｅは、上下幅が刃体出没孔３１より広く形成され、前方底部３３３から後方開口部３４付近にかけて前後方向に延設される。これら凹枠部３６ｅ及び凹溝部３６ｅ１により、トレー収納部３６が形成される。また、内部３３の左内壁３３ａと中板３３４の左端面３３４ａとの間には、スライダ左収納部３７が形成される。さらに、内部３３のスリット３２が形成された上内壁３３ｅと中板３３４の上面との間には、スライダ上収納部３８が形成される。また、中板３３４の後方であって、開口受部３５の底部３５ｆには、凹枠部３５５及びガイド突起３５６が前後方向に形成される。ガイド突起３５６は、底部３５ｆにおける左右方向の略中央に設けられ、下溝部３６ｆから底部３５ｆへ接続する傾斜面から、開口受部３５の後端まで延設される。凹枠部３５５は、ガイド突起３５６の右方に設けられる。
【００１９】
エンドキャップ４０は、替刃２０及びスライダ５０を収納した本体ケース３０の後端から開口受部３５に対して着脱自在に装着されることにより、蓋として機能する。エンドキャップ４０は、左右幅が本体ケース３０より狭く形成される（図６参照）。エンドキャップ４０は、前方側に前方開口部４１を有する。エンドキャップ４０の後方側には、左右に貫通する楕円形状の貫通孔４２が形成される。また、エンドキャップ４０の後端面４０ｄは、側面視において、貫通孔４２との間に形成される肉厚が略同じとなるよう、貫通孔４２の内周縁形状に沿った楕円円弧状に形成される（図５参照）。貫通孔４２の内壁部４２１には、後端面４０ｄ側に貫通する二つの貫通孔４２２が上下に配設される。
【００２０】
前方開口部４１の内壁において右側のガイド面４１ｂ及び左側のガイド面４１ａには、各々前後に延設される凸状のガイドレール４３ａ，４３ｂが形成される。ガイドレール４３ａは上下に二つ並設され、ガイドレール４３ｂも上下に二つ並設される。また、右側のガイド面４１ｂにおいて、ガイドレール４３ｂの前方側には、開口受部３５の右側のガイド溝３５１ｂ，３５１ｃの係止凹部３５２と係合する凸円弧状の係合突部４３１が形成される。同様に、左側のガイド面４１ａにおいて、ガイドレール４３ａの前方側には、開口受部３５の左側のガイド溝３５１ａの係止凹部３５２と係合する凸円弧状の係合突部（不図示）が形成される。したがって、エンドキャップ４０は、右側のガイドレール４３ｂがガイド溝３５１ｂ，３５１ｃにガイドされ、左側のガイドレール４３ａがガイド溝３５１ａにガイドされることにより、本体ケース３０に後方から装着される。
【００２１】
エンドキャップ４０が本体ケース３０に完全に装着される際、係合突部４３１が係止凹部３５２と係合する。そのため、エンドキャップ４０を装着したクリック感を得るとともにエンドキャップ４０の意図しない脱落が防止される。
【００２２】
エンドキャップ４０の上面には、ロック部材９０が装着される矩形状に窪んだ座繰部４４が形成される。座繰部４４は、その底部において、四隅の角部に装着孔４４１を有し、略中央に装着孔４４１よりやや開口面積の大きいロックピン挿通孔４４２を有する。装着孔４４１及びロックピン挿通孔４４２は、エンドキャップ４０の左右方向に延びる略矩形の長孔として形成される。また、座繰部４４の底部における左右方向の略中央には、ロックピン挿通孔４４２を挟んだ前側と後側に係合突起４４３が形成される。
【００２３】
つぎに、替刃２０について説明する。替刃２０は、トレー６０及び刃体７０を含む。替刃２０に含まれる刃体７０は、刃体７０の右側からトレー６０により保持され、刃体７０の左側からスライダ５０と接続される。
【００２４】
トレー６０は、前後に長辺を有した略長方形状の底板６１を有する。底板６１の上方縁及び下方縁からは、底板６１の後端側から前端側に亘ってそれぞれ上側壁６１ｅ及び下側壁６１ｆが左方に立設している。上側壁６１ｅ及び下側壁６１ｆの左右方向の高さは刃体７０の厚さより高く形成される。上側壁６１ｅの先端からは、下方に屈折した二つの上側押え壁６１ｅ１，６１ｅ２が形成される。下側壁６１ｆの先端からは、上方に屈折した二つの下側押え壁６１ｆ１，６１ｆ２が形成される。各押え壁６１ｅ１，６１ｅ２，６１ｆ１，６１ｆ２は、前方から後方に向かって、上側押え壁６１ｅ１、下側押え壁６１ｆ１、上側押え壁６１ｅ２、下側押え壁６１ｆ２の順に配置される。このように底板６１、上側壁６１ｅ及び下側壁６１ｆにより前後に長い溝部が形成される。この溝部に載置された刃体７０は、左右方向において、一方側が上側押え壁６１ｅ１，６１ｅ２及び下側押え壁６１ｆ１，６１ｆ２に、他方側が底板６１に挟まれることで、左右の移動が規制される。よって、刃体７０は、上下及び左右方向に遊嵌しながら前後動が自在にガイドされるとともに、トレー６０からの脱落が防止される。
【００２５】
また、上側壁６１ｅの左方端部には、さらに長板状のガイド板６１１が延設される。ガイド板６１１は、前後方向において、中央のやや後方側から前端まで延設される。また、ガイド板６１１は、下面が上側壁６１ｅの下面と略同一面とし、上面が上側壁６１ｅの上面と段部が形成されるように下方に下がるように、上側壁６１ｅと接続される。
【００２６】
底板６１は、刃体７０の載置側と逆側（トレー６０の右側）に窪む長矩形凹部６２を有する。長矩形凹部６２は、前後方向の中央付近から前端部にかけて直線状に形成され、底板６１の上下方向の略中央に設けられる。長矩形凹部６２の後方には、円形状の貫通孔６２１が形成される。また、底板６１は、長矩形凹部６２の上方位置及び下方位置に、貫通孔である上側窓孔６４ｅと下側窓孔６４ｆを有する（図３も参照）。上側窓孔６４ｅは、上側押え壁６１ｅ１，６１ｅ２の右側に位置する。下側窓孔６４ｆは、下側押え壁６１ｆ１，６１ｆ２の右側に位置する。上側窓孔６４ｅと下側窓孔６４ｆは、前後に延びる略矩形状の長孔として形成される。
【００２７】
底板６１は、後端側に前後に延びる長孔６１２を有する。その長孔６１２の内側には、片持ちバネ状の摺動板６３が形成される。摺動板６３の後端側は底板６１と接続される固定端６３ｄであり、摺動板６３の前方側の先端６３ｃは自由端である。摺動板６３は、先端６３ｃの左側に立設する摺動突起（係合部）６３１を有する。摺動突起６３１は、前後に長い長丸の底辺を有する柱状に形成される。摺動突起６３１の前端及び後端は、Ｃ面取り状に形成される。また、摺動板６３は、固定端６３ｄと先端６３ｃの間において左側に突出した操作突起６３２を有する。操作突起６３２は、図６（ａ）の断面図に示されるように、上方から見ると底辺を摺動板６３側とした略五角形状に形成される。
【００２８】
摺動板６３の固定端６３ｄ側の上方には、側面視略台形状の前突起６３３ｃと後突起６３３ｄが形成される（図５（ｂ）参照）。前突起６３３ｃの前側面及び後突起６３３ｄの後側面は、上下方向に形成される。また、前突起６３３ｃの後側面は後方に下がるよう傾斜して形成され、後突起６３３ｄの前側面は後方に上がるよう傾斜して形成される。
【００２９】
底板６１は、上側押え壁６１ｅ１の後方及び下側押え壁６１ｆ１の後方に、各々上側係止部６５１及び下側係止部６５２を有する。上側係止部６５１は、上底部が上側壁６１ｅに接続されて下方に延設された側面視略台形状に形成される（図５（ａ）参照）。下側係止部６５２は、下底部が下側壁６１ｆに接続されて上方に立設する側面視略台形状に形成される。上側係止部６５１の前方端面と、下側係止部６５２の前方端面の各々は、略同一面上に設けられ、刃体７０がトレー６０に収納された際に刃体７０の後端傾斜面７０ｄと当接して刃体７０が後方へ移動することを規制する。
【００３０】
上側壁６１ｅの後方側には、下方に向かって凹円弧状に湾曲した係止部６６が形成される。係止部６６は、前端及び後端を固定端とした上下に弾性変形可能な両持ちバネ板状に形成される。係止部６６の下面の前後方向略中央には、上係止突起６６１が立設している。図３において、上係止突起６６１は、左右幅が係止部６６より広く係止部６６の右方側まで延設される。また、上係止突起６６１の基端側の前後には、板状の鍔部６６１ｃ，６６１ｄが形成される。この鍔部６６１ｃ，６６１ｄは、上係止突起６６１の右側位置に設けられる。図２で、下側壁６１ｆの上係止突起６６１に対向する位置には、支持突起６６２が上方に立設している。上係止突起６６１及び支持突起６６２の先端は、側面視半円弧状に形成される。
【００３１】
図３で、底板６１には、長孔６１２の後端側において、係止部６６と摺動板６３との間に切欠部６６３が形成される。底板６１の右側面には、突出面６１３が形成される。突出面６１３は、上下の略中央に形成され、トレー６０の前端から略後端まで延設される。切欠部６６３の前端部及び後端部において、突出面６１３の一部からは、突起部６６４ｃ，６６４ｄが上係止突起６６１側に向かって形成される。また、摺動板６３の右側面側には、リブ部６３５が形成される。リブ部６３５は、摺動板６３の固定端６３ｄから摺動板６３の前後方向略中央まで延設される。なお、リブ部６３５の固定端６３ｄの一部は、切欠部６３４の縁と隣接して上下幅が狭く形成される。
【００３２】
図２において、摺動板６３には、固定端６３ｄ側の下端に、略矩形状に切欠かれた切欠部６３４が形成される。切欠部６３４の左側には、底板６１から延設された略四角柱状の係合突起６７１が設けられる。係合突起６７１の先端には、上方に向かって立設する返し突起６７１ｅが形成される。また、係合突起６７１の下方には、底板６１から延設された後方押え板６７２がスライダ５０の左方に形成される。この係合突起６７１にスライダ５０の溝部５３３が係合されることにより、スライダ５０の左方への移動が規制される。また、係合突起６７１及び後方押え板６７２により、スライダ５０は、トレー６０に対する後方への移動が規制される。下側壁６１ｆの下端において、後方押え板６７２の前方側には、開口受部３５のガイド突起３５６の上面と当接する当接突起６７３が形成される。当接突起６７３は、側面視略半円弧状に形成される。
【００３３】
トレー６０は、底板６１の後方にトレー係止部６８を有する。トレー係止部６８は、底板６１よりも上下幅が狭い板状に形成される。トレー係止部６８の左側面には、平面視Ｖ字状に窪んだ溝部６８１が形成される。また、溝部６８１内の後方内面には左方に向かって立設する四角柱状の柱状突起６８２が形成される。図３で、トレー係止部６８の後方端の右側面には、係止突起６８３が形成される。この係止突起６８３は、トレー６０を本体ケース３０の内部３３に収納した際、本体ケース３０の係止孔３５３に係止し、トレー６０の位置を固定する。また、トレー係止部６８の後方端には、トレー係止部６８を左方向に弾性変形させて係止突起６８３の係止孔３５３への係止を解除するための、操作板６８４が設けられる。
【００３４】
刃体７０は、平行四辺形状の板状に形成される。刃体７０は、長辺の一方に刃先７１を有する。この刃先７１は、刃体７０の両面に両刃として形成される。刃体７０は、刃先７１が下側となり、刃先７１を含む刃体７０の鋭角頂点が前方となるように、トレー６０に収納される。刃体７０は、後端側において送出孔７２と保持孔（被係合部）７３とを有する。送出孔７２は、刃体７０の上下方向の略中央に形成された丸孔である。また、保持孔７３は、刃体７０の上下方向の略中央において、送出孔７２の後方位置に長孔状に形成される。保持孔７３の孔形状の長軸は、刃体７０の前後方向となるように形成される。刃体７０は、上下方向が上側壁６１ｅと下側壁６１ｆとの間に挟まれ、左右方向が底板６１と上側押え壁６１ｅ１，６１ｅ２及び下側押え壁６１ｆ１，６１ｆ２との間に挟まれて前後動自在に収納される。また、保持孔７３には摺動突起６３１が挿入される。刃体７０は、摺動突起６３１が保持孔７３に挿入されている間、前後方向の移動が規制される。
【００３５】
スライダ５０は、トレー６０、刃体７０及び操作部材８０と組み合わせて、刃体７０の前後移動を操作するために用いられる。スライダ５０は、スライド板５１と操作部５２を有する。
【００３６】
スライド板５１は、刃体７０をトレー６０と挟みながら、刃体７０と接続される。スライド板５１の後方側には、固定板５３が延設される。固定板５３の上下幅は、スライド板５１の上下幅より狭く形成される。固定板５３の後端には、スライダ５０を固定するためのロック孔５３１が形成される。また、固定板５３は、ロック孔５３１の下方に、柱状突起６８２より前後幅の広い略矩形状の切欠部５３２を有する。スライド板５１の左側面には、上下の二段に配置されて、前後に分割された四つのガイドレール５４が形成される。ガイドレール５４は、スライド板５１から突出した直線状の突起でありスライダ５０の前後方向に形成される。また、図３に示すように、固定板５３の下端には、切欠部５３２により前後が隔てられた背面視略Ｌ字状の溝部５３３が形成される。溝部５３３は、内壁が下方及び左方に向くように設けられ、トレー６０の返し突起６７１ｅと係合する。
【００３７】
スライド板５１の右側には、前後方向に配置されたガイド溝５５が形成される。ガイド溝５５は、ガイド板６１１と係合する。ガイド溝５５は、長板状の二つのレールの間に形成される。ガイド溝５５は、スライダ５０の前端部からロック孔５３１が設けられる固定板５３に亘って設けられる。スライド板５１の右側面の略中央には、押圧部５６１が形成される。押圧部５６１は、前後に長軸を有した略直方体状に形成される。押圧部５６１は、前方傾斜部５６１ｃ及び後方傾斜部５６１ｄを有する。また、押圧部５６１の右側面の略中央には、前後に長い凹状の窪み部が形成される。押圧部５６１の後端であって、後方傾斜部５６１ｄの上端には、板部５６１ｅが後方に延設される。この板部５６１ｅを含む押圧部５６１の上面には、下係止突起５６２が形成される。下係止突起５６２は、右側面視略半円弧状に形成される。
【００３８】
スライド板５１の押圧部５６１の前方側には、刃体７０の送出孔７２と係合する略円柱状の係合突起５６３が右方に立設している。係合突起５６３は、全体を前後に分断する溝部５６３ａを有する。係合突起５６３に隣接する後方には、略四角柱状に立設する刃体７０の載置台５６４が形成される。また、載置台５６４と係合突起５６３の境界部において、上下方向の略中央には、溝部が形成される。刃体７０の送出孔７２には、係合突起５６３が挿入される。このとき、刃体７０の左側面は、載置台５６４の平坦面５６４ａと当接する。
【００３９】
なお、スライド板５１の右側面には、下段部５１ｅと、下段部５１ｅよりも右方に板厚が厚い上段部５１ｆが形成されている。下段部５１ｅは、スライド板５１の上方に設けられ、上段部５１ｆはスライド板５１の下方に設けられる。押圧部５６１及び載置台５６４は、上段部５１ｆと下段部５１ｅの位置に配置される。また、係合突起５６３は、上段部５１ｆ上に配置される。係合突起５６３の溝部５６３ａの底部は、上段部５１ｆと同一面に形成される。
【００４０】
図２において、操作部５２は、スライド板５１の上部に延設される。操作部５２は、略矩形板状の操作本体部５７と、操作本体部５７から上方に向かって立設した略矩形板状の固定板５８を有する。操作本体部５７は、スライド板５１の上部において、スライド板５１と略垂直となるように接続される。操作本体部５７の上面の四隅には、それぞれ四角柱状の当接突起５７１が設けられる。当接突起５７１の上面側の前端及び後端は、各々Ｃ面取り状に形成される。また、当接突起５７１の上面において、前後方向の略中央は、上方に突出した段部が形成される。各当接突起５７１の下方位置において、操作本体部５７の左側面及び右側面には、それぞれ略円弧状の係合突起５７２が合計四つ設けられる。
【００４１】
固定板５８は、左側の二つの当接突起５７１ａの右側に隣接している。固定板５８の前端及び後端の上方には、左方へ突出した返し突起５８１が形成される。返し突起５８１は、上端がＣ面取り状に形成される。固定板５８には、前方において、右側前方に向かって二股に分岐する前分岐板５８２が形成される（図７も参照）。また、固定板５８には、後方において、右側後方に向かって二股に分岐する後分岐板５８３が形成される。前分岐板５８２の前端部及び後分岐板５８３の後端部は、上面視において、固定板５８と略平行となるように形成される。また、図３に示すように、前分岐板５８２の先端部及び後分岐板５８３の先端部の上方には、右側へ突出した返し突起５８１が形成される。前分岐板５８２及び後分岐板５８３の返し突起５８１は、上端側がＣ面取り状に形成される。
【００４２】
固定板５８の右側面には、二つの角柱状の係合突起５８４ｃ，５８４ｄが形成される。係合突起５８４ｃ，５８４ｄは、前分岐板５８２及び後分岐板５８３の間に設けられる。前側の係合突起５８４ｃは固定板５８から右前方に向かって延設され、後側の係合突起５８４ｄは、固定板５８から右後方に向かって延設される。また、各係合突起５８４ｃ，５８４ｄの先端は、前分岐板５８２及び後分岐板５８３よりも右方に位置するように設けられる。
【００４３】
操作部材８０は、操作部５２に対し上方から固定される。操作部材８０は、図３の拡大図Ｃに示すように前後に長い略矩形板状に形成される。操作部材８０は、左側板８１ａ及び右側板８１ｂを有し、下方を開口させた枠状に形成される。左側板８１ａの内壁には、返し突起５８１と略同じ前後間隔の位置に、二つの内側係止突起８１ａ１が設けられる。また、右側板８１ｂの内壁にも、内側係止突起８１ａ１と左右の対向する位置に、二つの内側係止突起８１ｂ１が設けられる。内側係止突起８１ａ１は、いずれも操作部材８０の内方向へ突出する略直法体状に形成される。各内側係止突起８１ａ１，８１ｂ１の下端には、Ｃ面取り状に形成される。
【００４４】
操作部材８０の天板８２の前端及び後端には、下面から立方体状の前規制部材８２１ｃ及び後規制部材８２１ｄが形成される。前規制部材８２１ｃ及び後規制部材８２１ｄの間には、底面を略台形形状とした角柱状の係合解除板８３が、天板８２から下方に向かって立設する。係合解除板８３は、右側面が、右側板８１ｂの内面と接して配置される。係合解除板８３の前端部及び後端部の左側は、各々傾斜面として形成される。また、係合解除板８３及び右側板８１ｂの境界部分には、凹状の溝部が形成される。図２に示すように、操作部材８０の上面には、左右方向に溝状の凹凸部が形成される。この凹凸部は、使用者が操作部材８０を前後方向にスライドさせる際の滑り止めとなる。
【００４５】
ロック部材９０は、本体部分が略四角形の平板状に形成される。ロック部材９０の上面には、前後に長い直線状の突起である操作摘み９１が形成される。この操作摘み９１は、使用者がロック部材９０を左右方向に移動させる際に用いられる。ロック部材９０の本体部分の下面には、図３の拡大図Ｂに示すように、四隅の角部においてガイド柱９２が下方に立設している。各ガイド柱９２は、その下側先端部に前後の外方向にそれぞれ突出される返し突起９２１を備える。返し突起９２１は、先端側からロック部材９０の基端側に向かって太くなるよう徐々に傾斜して形成される。前方側のガイド柱９２ｃの返し突起９２１の傾斜面は前方側に形成され、後方側のガイド柱９２ｄの返し突起９２１の傾斜面は後方側に形成される。
【００４６】
各ガイド柱９２は、座繰部４４に設けられた装着孔４４１にそれぞれ対応して挿入される。また、返し突起９２１は、装着孔４４１を貫通した下方端の露出部分に設けられる。したがって、返し突起９２１は、ロック部材９０がエンドキャップ４０の装着孔４４１から抜けることを防止することができる。
【００４７】
ロック部材９０の本体部分の下面中央には、下方に立設するロックピン９３が形成される。ロックピン９３は、先端がエンドキャップ４０の左側に向かってＬ字状に屈曲している。ロックピン９３は、座繰部４４に設けられたロックピン挿通孔４４２に挿通される。また、ロック部材９０の裏面側には、前後方向に延設される溝部９４ａ，９４ｂが左右のそれぞれに形成される。各溝部９４ａ，９４ｂは、ロックピン９３を挟んだ前側と後側に分断されている。この左右いずれかの溝部９４ａ，９４ｂは、エンドキャップ４０の係合突起４４３と係合する。
【００４８】
図４（ａ）は、図１のカッター１０のロック部材９０の位置におけるＩＶ−ＩＶ断面図であり、ロック解除状態を示す。図４（ｂ）はＩＶ−ＩＶ断面図のロック状態を示す。ロック部材９０のガイド柱９２及びロックピン９３は、各々長孔状に形成された装着孔４４１及びロックピン挿通孔４４２に挿入されるため、ロック部材９０をカッター１０の左右方向に移動させることができる。ロック部材９０を図の右側（カッター１０の左側）へスライドさせると、ロック部材９０の下面に設けられるＬ字状のロックピン９３の先端は、図４（ｂ）に示すようにロック孔５３１に挿通される。ロックピン９３がロック孔５３１に挿通されているロック状態では、スライダ５０の前後方向の移動が規制される。さらに、ロック状態では、ロック部材９０はエンドキャップ４０に取付けられているため、エンドキャップ４０の前後移動も規制される。すなわち、ロック部材９０を操作することで、カッター１０のエンドキャップ４０の取り外しを規制しつつ、カッター１０の使用を制限することができる。
【００４９】
なお、ロック部材９０がカッター１０の右側の位置にあるとき（図４（ａ）のロック解除状態）、図２及び図３に示すロック部材９０の本体部の裏面に設けられた左側の溝部９４ａと、係合突起４４３が係合する。また、ロック部材９０がカッター１０の左側の位置にあるとき（図４（ｂ）のロック状態）、ロック部材９０の裏面に設けられた右側の溝部９４ｂと、係合突起４４３が係合する。よって、ロック部材９０は、ロック状態とロック解除状態のいずれかの状態で固定される。
【００５０】
つぎに、カッター１０の収納状態から使用状態への操作について説明する。図５は図１のカッター１０のＶ−Ｖ断面図であり、（ａ）は収納状態を示し、（ｂ）は使用状態を示す。図６は図５のカッター１０のＶＩ−ＶＩ断面図であり、（ａ）は収納状態を示し、（ｂ）は使用状態を示す。また、図７は、図５のカッター１０の操作部５２周辺を拡大したＶＩＩ−ＶＩＩ断面図である。
【００５１】
図５（ａ）の収納状態では、図６（ａ）に示すように、摺動突起６３１は保持孔７３の前方側に挿入されている。操作突起６３２のスライダ５０側の頂点と、この頂点から底板６１側に向けて傾斜する前後の面は、スライダ５０の位置に従って押圧部５６１と接する。収納状態において、操作突起６３２は、押圧部５６１の前方傾斜部５６１ｃの前方に位置する。使用者により操作部材８０が前方へ押し出されると、図７に示すように、操作部材８０に設けられた係合解除板８３の前端傾斜部８３ｃは、前方の係合突起５８４ｃを左前方向（図７の左下方向）に押し出して切欠部３２１との係合を解除する。そのため、操作部５２は、前方への移動が可能となる。なお、後方の係合突起５８４ｄは、操作部５２の前方への移動に伴い、左方（図７の下方）へ撓み、切欠部３２１との係合が解除される。
【００５２】
また、図５（ａ）で、スライダ５０が前方へ移動する際、下係止突起５６２は、上係止突起６６１を上方へ押し上げて、係止部６６の中央を上方へ弾性変形させる。よって、スライダ５０の移動には、所定以上の力を要するため、スライダ５０とともに刃体７０が不用意に移動することが防止される。
【００５３】
図８は、カッター１０の図６（ａ）の収納状態から図６（ｂ）の使用状態に移る途中の断面図である。操作部材８０が前方側に押し出されると、摺動突起６３１は長孔である保持孔７３内に所定の遊び量を有して挿入されているため、刃体７０はスライダ５０とともに所定の遊び量の分だけ前方へ移動する。そして、図８に示すように、操作突起６３２が前方傾斜部５６１ｃを乗り上げて押圧部５６１の平坦部に位置すると、摺動板６３はトレー６０の右側（図８における上側）へ撓む。そのため、摺動突起６３１は保持孔７３から外れて、刃体７０の前進移動がさらに可能となる。スライダ５０をさらに前方へ移動させると、押圧部５６１は、操作突起６３２の前方へ移動して、弾発力によりスライダ５０側へ移動した摺動突起６３１と当接する。そのため、摺動突起６３１が押圧部５６１の平坦部に位置し、摺動板６３の右方への撓みが維持される。その後、図６（ｂ）に示すように、押圧部５６１が摺動突起６３１の前方へ移動すると摺動板６３の変形が弾発力により元に戻り、刃体７０が刃体出没孔３１から外部へ露出する。
【００５４】
スライダ５０の前方への送り出し操作が終わり、使用者が操作部材８０の操作を解除すると、図７の係合突起５８４ｃ，５８４ｄがいずれかの切欠部３２１に係合する。よって、スライダ５０の前後移動が規制され、刃体７０の出代を固定させることができる。図５（ｂ）及び図６（ｂ）のカッター１０の使用状態の外観は、図１（ｂ）の斜視図に示される。
【００５５】
また、スライダ５０を後方へ移動させる場合も、図７に示した係合突起５８４ｃ，５８４ｄは、前方へ移動させる場合と同様に動作する。すなわち、使用者により操作部材８０が後方へ押し出されると、操作部材８０に設けられた係合解除板８３の後端傾斜部８３ｄは、後方の係合突起５８４ｄを左後ろ方向（図７の右下方向）に押し出して切欠部３２１との係合を解除する。そのため、操作部５２は、後方への移動が可能となる。なお、前方の係合突起５８４ｃは、操作部５２の後方への移動に伴い、左方（図７の下方）へ撓み、切欠部３２１との係合が解除される。このように、係合解除板８３は、操作部材８０の前後操作により係合突起５８４ｃ，５８４ｄの切欠部３２１との係合をスライダ５０の移動方向に解除することができる。
【００５６】
以上、本発明の実施形態を説明したが、本発明は本実施形態によって限定されることはなく、種々変更を加えて実施することができる。本実施形態の説明では、スライダ５０は、刃体７０を前方に移動させる機能と刃体７０に挿入された摺動突起６３１を外す機能を、それぞれ係合突起５６３と押圧部５６１を備えた一つの部材により実現しているが、押圧部５６１を設けない構成としてもよい。例えば、摺動突起６３１は、前後方向に傾斜した凸円弧上の突起としてもよい。したがって、操作部材８０を所定の力以上で前方へ押すことにより、摺動突起６３１が保持孔７３の後方縁を乗り上げ、刃体７０とトレー６０との保持を解除させることができる。
【００５７】
また、替刃２０とスライダ５０は、一つの組み品として構成することができる。この場合、カッター１０の消耗品として交換される替刃には、トレー６０、刃体７０及びスライダ５０を含むことができる。よって、替刃の交換の際にスライダ５０を取り付ける作業を省き、交換作業を容易にすることができる。
【００５８】
また、スライダ５０と刃体７０は、刃体７０に二個以上の丸孔や角孔等の孔部を設けて固定させることができる。あるいは、刃体７０に一つ又は複数の切欠部を設け、スライダ５０をその切欠部に係合させることにより、スライダ５０と刃体７０を固定してもよい。
【００５９】
また、保持孔７３と摺動突起６３１の係合を解除する方法は、スライダ５０の前進移動により押圧部５６１が摺動板６３を撓ませる方法に限らない。例えば、操作部材８０の操作と連動する他の部材が摺動板６３の左側から当接し、摺動板６３を撓ませてもよい。あるいは、本体ケース３０の外面にスライダ５０と独立した解除部材を設けて、この解除部材の押下操作やスライド操作と連動する部材等により操作突起６３２等を押して摺動板６３を撓ませてもよい。
【００６０】
また、保持孔７３は、本実施形態で示した長孔に限らず、例えば、一つ又は複数の丸孔や角孔とすることができる。
【００６１】
また、摺動突起６３１の着脱方法としては、他の方法により構成してもよい。例えば、本体ケース３０は、刃体７０と摺動突起６３１の保持状態及び保持解除状態をスライド操作や押下操作により切り替えるためのロック部材を備えることができる。また、摺動突起６３１は、保持孔７３に挿通されている際、コイルばね等により付勢される構成としてもよい。
【００６２】
また、刃体７０に形成される刃先７１は、片刃としてもよい。
【符号の説明】
【００６３】
１０    カッター                          ２０    替刃
３０    本体ケース                        ３０ａ  左側面
３０ｂ  右側面                            ３０ｃ  前端面
３０ｆ  底面                              ３１    刃体出没孔
３２    スリット                          ３３    内部
３３ａ  左内壁                            ３３ｂ  右内壁
３３ｅ  上内壁                            ３４    後方開口部
３５    開口受部                          ３５ａ  左側面
３５ｂ  右側面                            ３５ｆ  底部
３６    トレー収納部                      ３６ｅ  凹枠部
３６ｅ１  凹溝部                          ３６ｆ  下溝部
３７    スライダ左収納部                  ３８    スライダ上収納部
３０１  操作凹部                          ３０２  把持面
３０３  長矩形溝                          ３１１  円弧状突起
３２１  切欠部                            ３３３  前方底部
３３４  中板                              ３３４ａ  左端面
３５１ａ〜３５１ｃ  ガイド溝              ３５２  係止凹部
３５３  係止孔                            ３５４  切欠部
３５５  凹枠部                            ３５６  ガイド突起
４０    エンドキャップ                    ４０ｄ  後端面
４１    前方開口部                        ４１ａ  ガイド面
４１ｂ  ガイド面                          ４２    貫通孔
４３ａ  ガイドレール                      ４３ｂ  ガイドレール
４４    座繰部                            ４２１  内壁部
４２２  貫通孔                            ４３１  係合突部
４４１  装着孔                            ４４２  ロックピン挿通孔
４４３  係合突起
５０    スライダ                          ５１    スライド板
５１ｅ  下段部                            ５１ｆ  上段部
５２    操作部                            ５３    固定板
５４    ガイドレール                      ５５    ガイド溝
５７    操作本体部                        ５８    固定板
５３１  ロック孔                          ５３２  切欠部
５３３  溝部                              ５６１  押圧部
５６１ｃ  前方傾斜部                      ５６１ｄ  後方傾斜部
５６１ｅ  板部                            ５６２  下係止突起
５６３  係合突起                          ５６３ａ  溝部
５６４  載置台                            ５６４ａ  平坦面
５７１（５７１ａ，５７１ｂ）  当接突起    ５７２  係合突起
５８１  返し突起                          ５８２  前分岐板
５８３  後分岐板                          ５８４ｃ，５８４ｄ  係合突起
６０    トレー                            ６１    底板
６１ｅ  上側壁                            ６１ｅ１，６１ｅ２  上側押え壁
６１ｆ  下側壁                            ６１ｆ１，６１ｆ２  下側押え壁
６２    長矩形凹部                        ６３    摺動板
６３ｃ  先端                              ６３ｄ  固定端
６４ｅ  上側窓孔                          ６４ｆ  下側窓孔
６６    係止部                            ６８    トレー係止部
６１１  ガイド板                          ６１２  長孔
６１３  突出面                            ６２１  貫通孔
６３１  摺動突起                          ６３２  操作突起
６３３ｃ  前突起                          ６３３ｄ  後突起
６３４  切欠部                            ６３５  リブ部
６５１  上側係止部                        ６５２  下側係止部
６６１  上係止突起                        ６６１ｃ  鍔部
６６１ｄ  鍔部                            ６６２  支持突起
６６３  切欠部                            ６６４ｃ  突起部
６６４ｄ  突起部                          ６７１  係合突起
６７１ｅ  返し突起                        ６７２  後方押え板
６７３  当接突起                          ６８１  溝部
６８２  柱状突起                          ６８３  係止突起
６８４  操作板
７０    刃体                              ７１    刃先
７２    送出孔                            ７３    保持孔
７０ｄ  後端傾斜面
８０    操作部材                          ８１ａ  左側板
８１ａ１  内側係止突起                    ８１ｂ  右側板
８１ｂ１  内側係止突起                    ８２    天板
８３    係合解除板                        ８３ｃ  前端傾斜部
８３ｄ  後端傾斜部                        ８２１ｃ  前規制部材
８２１ｄ  後規制部材
９０    ロック部材                        ９１    操作摘み
９２（９２ｃ，９２ｄ）  ガイド柱          ９３    ロックピン
９４ａ  溝部                              ９４ｂ  溝部
９２１  返し突起
【図１】
0006718611.tif 000002
【図２】
0006718611.tif 000003
【図３】
0006718611.tif 000004
【図４】
0006718611.tif 000005
【図５】
0006718611.tif 000006
【図６】
0006718611.tif 000007
【図７】
0006718611.tif 000008
【図８】
0006718611.tif 000009